(57)【要約】【課題】バーコード表示領域のような相対的に高解像度の表示領域における表示書き換えの際の残像の問題を抑制すると共に、７セグメント表示領域のような相対的に低解像度の表示領域におけるエネルギー効率を低下させないような反射型表示装置の駆動方法を提供すること。【解決手段】表示書き換え工程では、相対的に高解像度の表示領域に対しては高解像度表示用の駆動シーケンスが用いられ、相対的に低解像度の表示領域に対しては高解像度表示用の駆動シーケンスとは異なる低解像度表示用の駆動シーケンスが用いられる。【選択図】図２
2016004132.tif 000002
【特許請求の範囲】
【請求項１】
少なくとも一方が透光性を有しており各々電極が形成されている対向する２枚の基板間に少なくとも１種以上の電気応答性材料を含む表示媒体が封入されていて、第１解像度の表示領域と前記第１解像度よりも低い第２解像度の表示領域とを有しており、前記２枚の基板間に所定の電界が与えられる際に各表示領域に所望の表示をする反射型表示装置、を駆動する方法であって、
所望の表示の内容に応じて、各表示領域の一方の基板の電極と他方の基板の電極との間に電圧を印加して表示を書き換える表示書き換え工程と、
前記表示書き換え工程において書き換えられた表示を保持する表示保持工程と、
を備え、
前記表示書き換え工程では、
第１解像度の表示領域に対しては第１解像度表示用の駆動シーケンスが用いられ、
第２解像度の表示領域に対しては第１解像度表示用の駆動シーケンスとは異なる第２解像度表示用の駆動シーケンスが用いられる
ことを特徴とする方法。
【請求項２】
前記第１解像度の表示領域とは、１ｃｍ２  あたりのセグメント数が１０以上である表示領域であり、
前記第２解像度の表示領域とは、１ｃｍ２  あたりのセグメント数が１０未満である表示領域である
ことを特徴とする請求項１に記載の方法。
【請求項３】
第１解像度表示用の駆動シーケンスと第２解像度表示用の駆動シーケンスとは、リセットシーケンスを含むか否かにおいて異なる
ことを特徴とする請求項１または２に記載の方法。
【請求項４】
第１解像度表示用の駆動シーケンスと第２解像度表示用の駆動シーケンスとは、含まれる基準リセット信号の回数において異なる
ことを特徴とする請求項１または２に記載の方法。
【請求項５】
前記表示保持工程において、
第１解像度の表示領域に対しては第１解像度表示用のリセットシーケンスが用いられ、
第２解像度の表示領域に対しては第１解像度表示用のリセットシーケンスとは異なる第２解像度表示用のリセットシーケンスが用いられる
ことを特徴とする請求項１乃至４のいずれかに記載の方法。
【請求項６】
第１解像度表示用のリセットシーケンスと第２解像度表示用のリセットシーケンスとは、含まれる基準リセット信号の回数において異なる
ことを特徴とする請求項５に記載の方法。
【請求項７】
前記表示保持工程において、
第１解像度の表示領域に対しては第１解像度表示用の頻度でリセットシーケンスが用いられ、
第２解像度の表示領域に対しては第１解像度表示用の頻度とは異なる第２解像度表示用の頻度でリセットシーケンスが用いられる
ことを特徴とする請求項１乃至６のいずれかに記載の方法。
【請求項８】
前記第１解像度の表示領域とは、バーコード表示領域である
ことを特徴とする請求項１乃至７のいずれかに記載の方法。
【請求項９】
前記第２解像度の表示領域とは、７セグメント表示領域である
ことを特徴とする請求項１乃至８のいずれかに記載の方法。
【請求項１０】
少なくとも一方が透光性を有しており各々電極が形成されている対向する２枚の基板間に少なくとも１種以上の電気応答性材料を含む表示媒体が封入されていて、第１解像度の表示領域と前記第１解像度よりも低い第２解像度の表示領域とを有しており、前記２枚の基板間に所定の電界が与えられる際に各表示領域に所望の表示をする反射型表示装置、を駆動する方法であって、
所望の表示の内容に応じて、各表示領域の一方の基板の電極と他方の基板の電極との間に電圧を印加して表示を書き換える表示書き換え工程と、
前記表示書き換え工程において書き換えられた表示を保持する表示保持工程と、
を備え、
前記表示保持工程において、
第１解像度の表示領域に対しては第１解像度表示用のリセットシーケンスが用いられ、
第２解像度の表示領域に対しては第１解像度表示用のリセットシーケンスとは異なる第２解像度表示用のリセットシーケンスが用いられる
ことを特徴とする方法。
【請求項１１】
少なくとも一方が透光性を有しており各々電極が形成されている対向する２枚の基板間に少なくとも１種以上の電気応答性材料を含む表示媒体が封入されていて、第１解像度の表示領域と前記第１解像度よりも低い第２解像度の表示領域とを有しており、前記２枚の基板間に所定の電界が与えられる際に各表示領域に所望の表示をする反射型表示装置、を駆動する方法であって、
所望の表示の内容に応じて、各表示領域の一方の基板の電極と他方の基板の電極との間に電圧を印加して表示を書き換える表示書き換え工程と、
前記表示書き換え工程において書き換えられた表示を保持する表示保持工程と、
を備え、
前記表示保持工程において、
第１解像度の表示領域に対しては第１解像度表示用の頻度でリセットシーケンスが用いられ、
第２解像度の表示領域に対しては第１解像度表示用の頻度とは異なる第２解像度表示用の頻度でリセットシーケンスが用いられる
ことを特徴とする方法。
【発明の詳細な説明】
【技術分野】
【０００１】
本発明は、電子ペーパー等に応用されている反射型表示装置の駆動方法に関する。
【背景技術】
【０００２】
反射型表示装置として、最近、表示媒体に含まれる電気応答性材料として電気泳動体を用いた電気泳動表示装置が広く用いられている。電気泳動表示装置とは、空気中または溶媒中の電気泳動体（通常は電気泳動する粒子）の電気的な泳動、すなわち粒子移動を利用して情報を表示する装置である。通常、２枚の基板間に電界を与えることで電気的な泳動の状態が制御され、それによって所望の表示が実現されるように構成される。電気泳動体としては、荷電粒子の他、荷電粉体をも利用され得る。その場合、当該荷電粉体は気体中を電気的に泳動する。
【０００３】
電気泳動表示装置は、近年では特に、電子ペーパーとしての応用が注目されている。電子ペーパーとして応用する場合には、印刷物レベルの視認性（目にやさしい）、情報書き換えの容易性、低消費電力、軽量といった利点を享受できる。
【０００４】
より詳細に説明すれば、電子ペーパーの表示素子として、電位状態についてメモリー性を有する表示素子を利用できるため、電圧などのエネルギーを供給し続けなくても、画像データに応じた表示状態を維持できる。一般的には、電子ペーパーの表示素子として、気中移動型、電気泳動粒子型、２色回転粒子型が知られている。これらは、電圧を付与することでセル内の電荷粒子の状態を変化させ、そのことによって表示状態を可変とすることができる。一方、電圧の付与を止めても、その表示状態を長時間に亘って維持できる。
【０００５】
これらの方式では、電圧を印加して電荷粒子を電気的に動かすことで、電荷粒子の位置や向きを変えている。また、規定領域の内部と外部とで、電圧を印加する駆動スキームを異ならせることも提案されている（特許文献１）。
【先行技術文献】
【特許文献】
【０００６】
【特許文献１】特開２０１１−    ８２７１号公報
【発明の概要】
【発明が解決しようとする課題】
【０００７】
スーパーマーケットの値札等として、７セグメント表示とバーコード表示とは、それぞれ広く普及している。これに対応して、それら表示領域を併せ持つ反射型表示装置も、広く普及している。この場合、一般的に、７セグメント表示領域に対する駆動装置とバーコード表示領域に対する駆動装置とは、共通化されている。
【０００８】
しかしながら、相対的に高解像度の表示領域であるバーコード表示領域では、表示書き換えの際に視認性を低下させる残像が残りやすいが、バーコード読取機器による読み取りの信頼性を維持するため、そのような残像の発生を抑制する必要がある。従って、高解像度の表示領域であるバーコード表示領域については、表示書き換えの都度リセットシーケンスが用いられることが望ましい。
【０００９】
一方、低解像度の表示領域である７セグメント表示領域では、表示書き換えの際に視認性に影響を及ぼすような残像が生じづらい。従って、低解像度の表示領域である７セグメント表示領域については、表示書き換えの際にエネルギー効率の面でリセットシーケンスを用いないことが望ましい。
【００１０】
本発明は、このような事情に基づいて行われたものであり、その目的は、バーコード表示領域のような高解像度の表示領域における表示書き換えの際の残像の問題を抑制すると共に、７セグメント表示領域のような低解像度の表示領域におけるエネルギー効率を低下させないような反射型表示装置の駆動方法を提供することにある。
【課題を解決するための手段】
【００１１】
本発明は、少なくとも一方が透光性を有しており各々電極が形成されている対向する２枚の基板間に少なくとも１種以上の電気応答性材料を含む表示媒体が封入されていて、第１解像度の表示領域と前記第１解像度よりも低い第２解像度の表示領域とを有しており、前記２枚の基板間に所定の電界が与えられる際に各表示領域に所望の表示をする反射型表示装置、を駆動する方法であって、所望の表示の内容に応じて、各表示領域の一方の基板の電極と他方の基板の電極との間に電圧を印加して表示を書き換える表示書き換え工程と、前記表示書き換え工程において書き換えられた表示を保持する表示保持工程と、を備え、前記表示書き換え工程では、第１解像度の表示領域に対しては第１解像度表示用の駆動シーケンスが用いられ、第２解像度の表示領域に対しては第１解像度表示用の駆動シーケンスとは異なる第２解像度表示用の駆動シーケンスが用いられることを特徴とする方法である。
【００１２】
第１解像度の表示領域とは、例えば、１ｃｍ２  あたりのセグメント数が１０以上である表示領域であり、第２解像度の表示領域とは、例えば、１ｃｍ２  あたりのセグメント数が１０未満である表示領域である。
【００１３】
また、第１解像度表示用の駆動シーケンスと第２解像度表示用の駆動シーケンスとは、例えば、リセットシーケンスを含むか否かにおいて異なる。第１解像度表示用の駆動シーケンスは、リセットシーケンスを含むことが好ましく、第２解像度表示用の駆動シーケンスは、リセットシーケンスを含まないことが好ましい。
【００１４】
あるいは、第１解像度表示用の駆動シーケンスと第２解像度表示用の駆動シーケンスとは、含まれる基準リセット信号の回数において異なる。
【００１５】
また、表示保持工程においても、第１解像度の表示領域に対しては第１解像度表示用のリセットシーケンスが用いられ、第２解像度の表示領域に対しては第１解像度表示用のリセットシーケンスとは異なる第２解像度表示用のリセットシーケンスが用いられることが好ましい。
【００１６】
この場合、例えば、第１解像度表示用のリセットシーケンスと第２解像度表示用のリセットシーケンスとは、含まれる基準リセット信号の回数において異なる。
【００１７】
また、表示保持工程において、第１解像度の表示領域に対しては第１解像度表示用の頻度でリセットシーケンスが用いられ、第２解像度の表示領域に対しては第１解像度表示用の頻度とは異なる第２解像度表示用の頻度でリセットシーケンスが用いられることも好ましい。
【００１８】
以上において、第１解像度の表示領域とは、例えばバーコード表示領域であり、第２解像度の表示領域とは、７セグメント表示領域である。
【００１９】
また、本発明は、少なくとも一方が透光性を有しており各々電極が形成されている対向する２枚の基板間に少なくとも１種以上の電気応答性材料を含む表示媒体が封入されていて、第１解像度の表示領域と前記第１解像度よりも低い第２解像度の表示領域とを有しており、前記２枚の基板間に所定の電界が与えられる際に各表示領域に所望の表示をする反射型表示装置、を駆動する方法であって、所望の表示の内容に応じて、各表示領域の一方の基板の電極と他方の基板の電極との間に電圧を印加して表示を書き換える表示書き換え工程と、前記表示書き換え工程において書き換えられた表示を保持する表示保持工程と、を備え、前記表示保持工程において、第１解像度の表示領域に対しては第１解像度表示用のリセットシーケンスが用いられ、第２解像度の表示領域に対しては第１解像度表示用のリセットシーケンスとは異なる第２解像度表示用のリセットシーケンスが用いられることを特徴とする方法である。
【００２０】
あるいは、本発明は、少なくとも一方が透光性を有しており各々電極が形成されている対向する２枚の基板間に少なくとも１種以上の電気応答性材料を含む表示媒体が封入されていて、第１解像度の表示領域と前記第１解像度よりも低い第２解像度の表示領域とを有しており、前記２枚の基板間に所定の電界が与えられる際に各表示領域に所望の表示をする反射型表示装置、を駆動する方法であって、所望の表示の内容に応じて、各表示領域の一方の基板の電極と他方の基板の電極との間に電圧を印加して表示を書き換える表示書き換え工程と、前記表示書き換え工程において書き換えられた表示を保持する表示保持工程と、を備え、前記表示保持工程において、第１解像度の表示領域に対しては第１解像度表示用の頻度でリセットシーケンスが用いられ、第２解像度の表示領域に対しては第１解像度表示用の頻度とは異なる第２解像度表示用の頻度でリセットシーケンスが用いられることを特徴とする方法である。
【発明の効果】
【００２１】
本発明によれば、バーコード表示領域のような高解像度の表示領域における表示書き換えの際の残像の問題を抑制すると共に、７セグメント表示領域のような低解像度の表示領域におけるエネルギー効率を低下させないような反射型表示装置の駆動方法を提供することが可能である。
【図面の簡単な説明】
【００２２】
【図１】本発明の一実施の形態による反射型表示装置の構成を概略的に示す断面図である。
【図２】図１に示す反射型表示装置の画素配置の一例を概略的に示す図である。
【図３】図１に示す反射型表示装置の４つの画素のうち、２つの画素を書き換える場合の電圧波形図である。
【図４】図１の反射型表示装置の表示書き換え処理を示すフロー図である。
【図５】図１の反射型表示装置の７セグメント表示領域の駆動シーケンスの例を示す図である。
【図６】図１の反射型表示装置のバーコード表示領域の駆動シーケンスの例を示す図である。
【図７】図６の駆動シーケンスの変形例を示す図である。
【図８】図１の反射型表示装置の７セグメント表示領域の表示書き換え時のリセットシーケンスを含む駆動シーケンスの例を示す図である。
【図９】図１の反射型表示装置の７セグメント表示領域及びバーコード表示領域の表示保持時のリセットシーケンスの例を示す図である。
【発明を実施するための形態】
【００２３】
図１は、本発明の一実施の形態による反射型表示装置の構成を概略的に示す断面図である。本実施の形態による反射型表示装置は、少なくとも一方が透光性を有しており各々電極１１１，１６１が形成されている対向する２枚の基板１１，１６間に、少なくとも１種以上の電気応答性材料を含む表示媒体１３が封入されていて、２枚の基板１１，１６間に所定の電界が与えられる際に所望の表示をするようになっている。ここで、本件の明細書及び特許請求の範囲において「透光性」とは、光を透過する性質、という程度の意味である。本実施の形態においては、視認側に配置される基板（一方の基板１１）は、全光透過率が５０％以上、好ましくは８０％以上、さらに好ましくは９０％以上となるような透光性を有している。
【００２４】
本実施の形態においては、一方の基板１１と他方の基板１６との間に、少なくとも表示領域を覆う共通電極１１１と、表示媒体１３が配置された表示媒体層１５と、各表示領域に対応して配置された複数の電極１６１とが、一方の基板１１の側から他方の基板１６の側に向かう方向に見て当該順序で設けられている。ここで、本件の明細書及び特許請求の範囲において「表示領域」とは、反射型表示装置において所望の表示に利用される領域、という意味である。
【００２５】
本実施の形態では、一方の基板１１が視認側に配置され、他方の基板１６が非視認側に配置される。
【００２６】
一方の基板１１としては、ポリエチレン（ＰＥ）、ポリエチレンテレフタレート（ＰＥＴ）、ポリエーテルサルフォン（ＰＥＳ）、ポリエチレンナフタレート（ＰＥＮ）等の透光性フィルムや透光性ガラスに、共通電極１１１として、酸化インジウムスズ（ＩＴＯ）、酸化亜鉛（ＺｎＯ）、酸化スズ（ＳｎＯ）等の透光性電極を付したものが、典型的に用いられ得る。
【００２７】
共通電極１１１は、塗工法やスパッタリング、真空蒸着法、ＣＶＤ法等によって、少なくとも一方の基板１１の表示領域を覆うように形成される。共通電極１１１は、必ずしもパターンが形成されている必要は無く、基板全面が電極であってもよい。
【００２８】
一方の基板１１の厚みは、１０μｍ〜１ｍｍが好適である。１０μｍよりも薄いと、パネルとしての強度を得ることができず、破損に至る危険度が増す一方、１ｍｍよりも厚いと、パネル重量が重くなり過ぎて取り扱いが不便になるし、コストも高くなるからである。破損しにくく取り扱いが容易である好適な厚みの範囲は、５０μｍ〜３００μｍ程度である。
【００２９】
一方の基板１１は、ロール状でもシート状でもどちらでも適用可能である。
【００３０】
他方の基板１６としては、樹脂フィルム、樹脂板、ガラス、エポキシガラス（ガラエポ）等が用いられ、表示媒体側となる面に金属等の導電性材料によって画素電極１６１が形成されたものが用いられ得る。本実施の形態の画素電極１６１は、図２を用いて後述するように、７セグメント電極とバーコード電極である。
【００３１】
また他方の基板１６は、透光性を有する基材が用いられてもよい。さらに透光性を有しているが不透明な基材であってもよく、電極面とは異なるもう一方の面を粗面化した不透明なガラス基材、樹脂フィルム、樹脂板、ガラス、エポキシガラス（ガラエポ）等が用いられ得る。本実施の形態では、他方の基板１６は、視認側と反対側の位置に配置されるため、透光性を有している必然性はない。しかし、熱膨張特性など一方の基板１１と同じ物性が必要とされる場合は、一方の基板１１と同様の透光性の部材が使用され得る。
【００３２】
他方の基板１６の厚みも、一方の基板１１の厚みと同様に、１０μｍ〜１ｍｍが好適である。１０μｍよりも薄いと、パネルとしての強度を得ることができず、破損に至る危険度が増す一方、１ｍｍよりも厚いと、パネル重量が重くなり過ぎて取り扱いが不便になるし、コストも高くなるからである。破損しにくく取り扱いが容易である好適な厚みの範囲は、５０μｍ〜３００μｍ程度である。
【００３３】
他方の基板１６も、ロール状でもシート状でもどちらでも適用可能である。
【００３４】
本実施の形態の表示媒体層１５は、一例として、一方の基板１１と他方の基板１６との間において複数のセルを区画する隔壁１２を有している。ここで、「セル」とは、電気応答性材料の沈降や偏在に起因して表示の不良、特にコントラストの低下を防止するべく上下の電極基板１１，１６間において分割された、電気泳動する電気応答性材料の微小な泳動空間、すなわち移動空間を意味する。なお、当該移動空間は、マイクロカプセル等、他の構造物によって分割されてもよい。また、電気応答性材料の沈降や偏在の虞が低い場合には、上下の電極基板１１，１６間の空間は、このような構造物によって分割されていなくてもよい。
【００３５】
隔壁１２は、紫外線硬化樹脂、熱硬化樹脂、常温硬化樹脂等によって構成可能であり、隔壁１２の形成方法は、フォトリソグラフィ法の他、エンボス加工などの型転写方法も採用され得る。さらに、所望のパターンの構造物を隔壁として製造しておいて、それを一方の基板１１に貼り付けるという方法も採用され得る。開口率は、７０％以上が好ましく、特に９０％以上が好ましい。高開口率であるほど、表示可能エリアが広くなるため、高コントラストを得ることができる。
【００３６】
隔壁１２の単位パターンの形状は、円、格子、六角形、その他の多角形など、基本的に任意である。また、セルのサイズ（ピッチ）は、表示パネルの大きさにもよるが、０．０５ｍｍ〜１ｍｍピッチ、好ましくは０．１ｍｍ〜０．５ｍｍピッチである。ここで、ピッチとは、隣接するセルの中心点の距離を意味している。
【００３７】
もっとも、隔壁１２で形成されるセルの形状は、必ずしも全てのセルで同じでなくてもよい。例えば、ランダムな形状の複数の多角形からなるパターンも採用され得る。
【００３８】
隔壁１２の高さは、５〜５０μｍ、好ましくは１０〜５０μｍである。５μｍ以下では、充填するインキ量が少なく、十分な表示特性、特にコントラストが得られない一方、５０μｍ以上では、パネルの厚みが厚すぎて、駆動電圧が上昇し過ぎてしまう。低駆動電圧で良好な表示特性が得られるという観点から、１０〜５０μｍの範囲の高さが好適である。
【００３９】
隔壁１２の頂面と、他方の基板１６上の画素電極１６１または他方の基板１６上の他の要素または他方の基板１６と、の間には、隔壁１２の頂面と、他方の基板１６上の画素電極１６１または他方の基板１６上の他の要素または他方の基板１６と、を接着させるための接着層（不図示）が設けられていてもよい。
【００４０】
接着層は、例えば転写法や印刷法により、ポリエステル系熱可塑性接着剤のような熱可塑性樹脂が、１μｍ〜１００μｍの厚みで形成される。好ましくは、１μｍ〜５０μｍの厚みで形成され、特に好ましくは、１μｍ〜２０μｍの厚みで形成される。
【００４１】
接着層を形成するための接着剤としては、熱可塑性材料を用いた接着剤が好ましく、加熱により軟化して、冷却すると固化する性質を有し、冷却と加熱を繰り返した場合に、塑性が可逆的に保たれる材料である。
【００４２】
具体的には、エチレン−酢酸ビニル共重合体、ポリエステル、ポリアミド、ポリオレフィン、ポリウレタンなどの熱可塑性ベースポリマーや、天然ゴム、スチレン−ブタジエンブロック共重合体、スチレン−イソプレンブロック共重合体、スチレン−エチレン−ブチレン−スチレンブロック共重合体、スチレン−エチレン−プロピレン−スチレン共重合体などの熱可塑性エラストマーを主成分とし、粘着性付与樹脂や可塑剤を配合した樹脂が主に使用される。
【００４３】
隔壁１２と接着剤との密着性を上げるために、隔壁１２に紫外線照射やプラズマ処理などにより表面処理が施されてもよいし、プライマーが形成されてもよい。あるいは、接着剤２２１の方にシランカップリング剤が添加されてもよい。
【００４４】
そして、本実施の形態では、図２に示すように、いわゆる７セグメント表示とその背景表示に対応する８個のセグメント電極１６１（ａ〜ｈ）が、他方の基板１６の相対的に低解像度の表示領域（第１解像度の表示領域）として配置されると共に、いわゆるバーコード表示とその背景表示に対応するセグメント電極（図では７個のみをｉ〜ｏとして記載）が、他方の基板１６の相対的に高解像度の表示領域（第１解像度よりも低い第２解像度の表示領域）として配置されている。
【００４５】
そして、本実施の形態の各セグメント電極１６１（ａ〜ｈ、ｉ〜ｏ）は、図２に示すように、信号線ドライバを介して、予め設定された駆動シーケンスを生成する信号生成部に接続されている。駆動シーケンスとは、表示書き換え工程において電極に印加される信号であって、特定の波形パターンを有する電圧信号である。
【００４６】
信号生成部が、各セグメント電極１６１への電圧印加の要／不要と、要の場合の符号と、を判別し、電圧印加が要であって正であるセグメント電極１６１に対しては、信号生成部の命令に従って信号線ドライバで生成された正の駆動シーケンスが印加されるようになっており、電圧印加が要であって負であるセグメント電極１６１に対しては、信号生成部の命令に従って信号線ドライバで生成された負の駆動シーケンスが印加されるようになっている。また、電圧印加が不要であるセグメント電極１６１に対しては、ＧＮＤ電位の印加が継続されるようになっている。もっとも、本実施の形態において電圧印加を不要としＧＮＤ電位の印加が継続されるとしたセグメント電極１６１については、ＧＮＤ電位とは異なる他の共通電位の印加が継続されてもよい。その場合には、正の駆動シーケンス／負の駆動シーケンスではなく、当該共通電位に対してより高い電位の駆動シーケンス／より低い電位の駆動シーケンスが適用され得る。
【００４７】
図３には、第１画素に印加される正の駆動シーケンスとしての正の基準駆動信号の例が示されている。正の基準駆動信号とは、相対的にＧＮＤ電位よりも高い電圧による基準駆動信号である。図３に示す正の基準駆動信号によれば、相対的にＧＮＤ電位よりも高い第１電位＋ａ（Ｖ）の信号が所定時間ｔ１だけ印加される。
【００４８】
一方、図３には、第２画素に印加される負の駆動シーケンスとしての負の基準駆動信号の例も示されている。負の基準駆動信号とは、相対的にＧＮＤ電位よりも低い電圧による基準駆動信号である。図３に示す負の基準駆動信号によれば、相対的にＧＮＤ電位よりも低い第２電位−ｂ（Ｖ）の信号が所定時間ｔ２だけ印加される。
【００４９】
表示媒体１３は、少なくとも１種以上の電気応答性材料を含んでいる。電気応答性材料としては、電荷粒子材料、液晶材料があり、電荷粒子材料には白や黒、カラーなどの色づけされた粒子が電場に応答して移動するいわゆる電気泳動材料、または、粒子が二色に色分けされ電場により回転するツイストボールに代表される材料、または、電場により移動するナノ粒子材料等がある。一方、液晶材料は、ＰＤＬＣ（Ｐｏｌｙｍｅｒ  Ｄｉｓｐｅｒｓｅｄ  Ｌｉｑｕｉｄ  Ｃｒｙｓｔａｌ）で知られる透過と散乱を電気的に制御する材料や、液晶に色素を混合した材料、コレステリック液晶材料などがある。
【００５０】
本実施の形態においては、表示媒体１３は、白の電気応答性材料と黒の電気応答性材料を含んでおり、白の電気応答性材料は、負に帯電されており、黒の電気応答性材料は、正に帯電されている。これにより、セグメント電極１６１に共通電極１１１よりも低い電位が印加されると、負に帯電した白の電気応答性材料が共通電極１１１の側に引き寄せられ、表示媒体１３中の正に帯電した黒の電気応答性材料がセグメント電極１６１の側に引き寄せられるようになっている。また、セグメント電極１６１に共通電極１１１よりも高い電位が印加されると、負に帯電した白の電気応答性材料がセグメント電極１６１の側に引き寄せられ、表示媒体１３中の正に帯電した黒の電気応答性材料が共通電極１１１の側に引き寄せられるようになっている。
【００５１】
図４は、図１の反射型表示装置の表示書き換え処理を示すフロー図である。所望の表示の内容に応じて、個々のセグメント電極の印加制御を実現する制御信号に基づいて、信号線ドライバが、各セグメント電極への電圧印加の要／不要と、要の場合の符号と、を区別し、電圧印加が要であって正であるセグメント電極に対しては、信号生成部で生成された正の駆動シーケンス（例えば正の基準駆動信号：図３参照）を印加し、電圧印加が要であって負であるセグメント電極に対しては、信号生成部で生成された負の駆動シーケンス（例えば負の基準駆動信号：図３参照）を印加する。また、電圧印加が不要であるセグメント電極に対しては、ＧＮＤ電位の印加が継続される。
【００５２】
正の駆動シーケンスが印加されることで、表示媒体１３中の負に帯電した白の電気応答性材料がセグメント電極１６１の側に引き寄せられ、表示媒体１３中の正に帯電した黒の電気応答性材料が視認側の共通電極１１１の側に引き寄せられる。これにより、所望の黒表示を効果的に実現することができる。これは、図３の第１画素の色変化（白→黒）に対応している。
【００５３】
あるいは、負の駆動シーケンスが印加されることで、表示媒体１３中の負に帯電した白の電気応答性材料が視認側の共通電極１１１の側に効果的に引き寄せられ、表示媒体１３中の正に帯電した黒の電気応答性材料がセグメント電極１６１の側に効果的に引き寄せられる。これにより、所望の白表示を効果的に実現することができる。これは、図３の第２画素の色変化（黒→白）に対応している。
【００５４】
そして、本実施の形態の反射型表示装置では、本発明の特徴として、表示書き換え時に、高解像度の表示領域であるバーコード表示領域に対しては、高解像度表示用の駆動シーケンスが用いられ、低解像度の表示領域である７セグメント表示領域に対しては、高解像度表示用の駆動シーケンスとは異なる低解像度表示用の駆動シーケンスが用いられるようになっている。
【００５５】
具体的には、７セグメント表示領域に対する駆動シーケンスとしては、図５に示すように、図３に示された正の基準駆動信号及び負の基準駆動信号が用いられるようになっており、書き換えが必要な電極にのみ、それらが適宜に印加されるようになっている。図５では、正の基準駆動信号の電圧が第２電位として示されており、負の基準駆動信号の電圧が第１電位として示されており、共通電位（本例ではＧＮＤ電位）が第３電位にとして示されている。
【００５６】
図５の例では、「全白表示」から「６」への書き換え時に、電極ａ、ｂ、ｄ、ｅ、ｆ、ｇが配置された領域を黒表示するべく、これらの電極に正の基準駆動信号が印加され、電極ｃ、ｈは、元の白表示を維持するべく、ＧＮＤ電位のまま維持される。その後の表示保持工程では、各電極に共通電位であるＧＮＤ電位が印加される。
【００５７】
その後、「６」から「３」への書き換え時には、電極ｂ、ｅが配置された領域を白表示するべく、これらの電極に負の基準駆動信号が印加され、電極ａ、ｄ、ｆ、ｇ、ｈは、元の黒表示を維持するべく、ＧＮＤ電位のまま維持され、電極ｃが配置された領域を黒表示するべく、当該電極に正の基準駆動信号が印加される。その後の表示保持工程では、各電極に共通電位であるＧＮＤ電位が印加される。
【００５８】
以上のようなシンプルな駆動シーケンスは、エネルギー効率の点で優れるため、残像の問題が生じない７セグメント表示領域にとって都合がよい。
【００５９】
一方で、バーコード表示領域に対する駆動シーケンスとしては、図６に示すように、書き換えが必要な電極に、図３に示された正の基準駆動信号及び負の基準駆動信号（これらについては図５の駆動シーケンスと共通）が印加される前に、リセットシーケンスが印加されるようになっている。
【００６０】
図６の例では、黒表示のパターンが「ｉ、ｋ、ｌ、ｎ」から「ｊ、ｋ、ｍ、ｎ」へ書き換えられる時に、まず全電極を白表示するべく、電極ｉ、ｋ、ｌ、ｎに負の基準駆動信号が印加され、電極ｊ、ｍ、ｏは、元の白表示を維持するべく、ＧＮＤ電位のまま維持される。その後、全電極を黒表示するべく全電極に正の基準駆動信号が印加され、再び全電極を白表示するべく全電極に負の基準駆動信号が印加される。ここまでのシーケンス、すなわち、全電極を白表示→全電極を黒表示→全電極を白表示のシーケンスが、リセットシーケンスである。
【００６１】
その後、電極ｊ、ｋ、ｍ、ｎが配置された領域を黒表示するべく、これらの電極に正の基準駆動信号が印加され、電極ｉ、ｌ、ｏは、元の白表示を維持するべく、ＧＮＤ電位のまま維持されて、書き換え処理が終了する。その後の表示保持工程では、各電極に共通電位であるＧＮＤ電位が印加される。
【００６２】
以上のようなリセットシーケンスを含む駆動シーケンスは、残像現象の発生を抑制するという点で優れるため、解像度が高いバーコード表示領域にとって都合がよい。
【００６３】
以上のように、本実施の形態によれば、共通の信号生成部による制御でありながら、表示書き換え工程において、高解像度の表示領域であるバーコード表示領域に対しては図６の駆動シーケンスが用いられ、低解像度の表示領域である７セグメント表示領域に対しては図５の駆動シーケンスが用いられる。これにより、バーコード表示領域においては残像の問題が抑制される一方、７セグメント表示領域においてはエネルギー効率に優れた表示書き換えが可能である。
【００６４】
また、図６のリセットシーケンスについては、図７に示すように、全電極を白表示にした後、全電極を黒表示にして再度白表示にする部分がＮｃ回繰り返されてもよい。リセットシーケンスのうち、この全電極を黒表示にして再度白表示にする部分は、基準リセット信号と呼ばれる。Ｎｃの値は、例えば、３である。このような繰り返しを含むリセットシーケンスは、書き換え工程の都度用いられてもよいが、所定の書き換え回数毎、例えば３０回毎、６０回毎、９０回毎等、に用いられることが効果的である。
【００６５】
一定の書き換え回数毎に、図７を用いて説明したリセットシーケンスを含む駆動シーケンスを用いる制御は、７セグメント表示領域に対しても適用可能である。すなわち、図８に示すリセットシーケンスにおいて、全電極を白表示にした後、全電極を黒表示にして再度白表示にする部分（基準リセット信号）がＮａ回繰り返されてもよい。Ｎａの値は、例えば、２である。
【００６６】
また、図７及び図８を用いて説明したリセットシーケンスは、図９に示すように、表示保持工程中のリセットシーケンスとして用いられてもよい。この場合、これらのリセットシーケンスは、所定の頻度で用いられることが効果的である。ここで、頻度とは、単位時間あたりの回数を意味する。頻度に対応する指標として、利用間隔が用いられてもよい。すなわち、リセットシーケンスは、所定の経過時間毎、例えば５時間毎、１０時間毎、１５時間毎等、に用いられることが効果的であるとも言える。
【００６７】
更に、７セグメント表示領域の表示保持工程におけるリセットシーケンスは、１０時間毎に用いられ、バーコード表示領域の表示保持工程におけるリセットシーケンスは、５時間毎に用いられる等、７セグメント表示領域に対するリセットシーケンスの利用頻度よりもバーコード表示領域に対するリセットシーケンスの利用頻度を高くしておくことが効果的である。この場合、バーコード表示領域では視認性低下の問題をより強力に解消することができる一方、７セグメント表示領域ではエネルギー効率を重視できる。
【００６８】
また、図９に示すリセットシーケンスにおいて、７セグメント表示領域のリセットシーケンスの繰り返し回数Ｎｂの値は、バーコード表示領域のリセットシーケンスの繰り返し回数Ｎｄの値よりも小さいことが効果的である。
【００６９】
なお、バーコード表示領域に代表される相対的に高解像度の表示領域とは、例えば、１ｃｍ２  あたりのセグメント数が１０以上である表示領域であり、７セグメント表示領域に代表される相対的に低解像度の表示領域とは、例えば、１ｃｍ２  あたりのセグメント数が１０未満である表示領域である。この閾値は、残像の発生によって実際に視認性が低下する程度に基づいて、本件発明者によって知見されたものである。
【符号の説明】
【００７０】
１１  一方の基板
１１１  共通電極
１２  隔壁
１３  インキ（表示媒体）
１６  他方の基板
１６１  セグメント電極
【図１】
2016004132.tif 000003
【図２】
2016004132.tif 000004
【図３】
2016004132.tif 000005
【図４】
2016004132.tif 000006
【図５】
2016004132.tif 000007
【図６】
2016004132.tif 000008
【図７】
2016004132.tif 000009
【図８】
2016004132.tif 000010
【図９】
2016004132.tif 000011